(57)【特許請求の範囲】
【請求項１】
配線パターンを示す第１データと、当該第１データの属性データとして、当該配線パターンに近い配線形状が得られるように、当該配線パターンを補正する補正パターンを示す第２データを含む設計データを変換する設計データ変換装置であって、
前記設計データから前記第２データを抽出する抽出手段と、
前記第２データを、前記属性データから前記第１データに近似のデータに変換するデータ変換手段と、
前記データ変換した第２データを、前記設計データにおけるデータ変換前の第２データと置換する置換手段と
を有する設計データ変換装置。
【請求項２】
前記補正は、光近接効果補正である
請求項１記載の設計データ変換装置。
【請求項３】
前記補正パターンの形状は、略三角形状である
請求項１記載の設計データ変換装置。
【請求項４】
配線パターンを示す第１データと、当該第１データの属性データとして、当該配線パターンに近い配線形状が得られるように、当該配線パターンを補正する補正パターンを示す第２データを含む設計データを形成するパターン設計支援装置であって、
前記設計データから前記第２データを抽出する抽出手段と、
前記第２データを、前記属性データから前記第１データに近似のデータに変換するデータ変換手段と、
前記データ変換した第２データを、前記設計データにおけるデータ変換前の第２データと置換する置換手段と
を有するパターン設計支援装置。
【請求項５】
前記補正は、光近接効果補正である
請求項４記載のパターン設計支援装置。
【請求項６】
前記補正パターンの形状は、略三角形状である
請求項４記載のパターン設計支援装置。
【請求項７】
配線パターンを示す第１データと、当該第１データの属性データとして、当該配線パターンに近い配線形状が得られるように、当該配線パターンを補正する補正パターンを示す第２データを含む設計データを変換する方法であって、
前記設計データから前記第２データを抽出し、当該第２データを前記第１データに近似のデータに変換し、前記データ変換した第２データを、前記設計データにおけるデータ変換前の第２データと置換する
設計データ変換方法。
【請求項８】
前記補正は、光近接効果補正である
請求項７記載の設計データ変換方法。
【請求項９】
前記補正パターンの形状は、略三角形状である
請求項７記載の設計データ変換方法。
【請求項１０】
配線パターンを示す第１データと、当該第１データの属性データとして、当該配線パターンに近い配線形状が得られるように、当該配線パターンを補正する補正パターンを示す第２データを含む設計データを少なくとも２つのパターン設計支援システム間でデータ交換して最終的な配線基板のパターンを設計する方法であって、前記設計データ交換の際に、
前記設計データから前記第２データを抽出し、当該第２データを前記第１データに近似のデータに変換し、前記データ変換した第２データを、前記設計データにおけるデータ変換前の第２データと置換する
配線基板のパターン設計方法。
【請求項１１】
前記補正は、光近接効果補正である
請求項１０記載の配線基板のパターン設計方法。
【請求項１２】
前記補正パターンの形状は、略三角形状である
請求項１０記載の配線基板のパターン設計方法。
【発明の詳細な説明】
【０００１】
【発明の属する技術分野】
本発明は、例えば、プリント配線基板のパターン設計をＣＡＤを用いて行った設計データを異なるシステムをもつＣＡＤにデータ変換を行う設計データ変換装置と設計データ変換方法、および当該設計データのデータ変換を伴うパターン設計支援装置、配線基板のパターン設計方法に関する。
【０００２】
【従来の技術】
近年、高密度化されているプリント配線基板（ＰＷＢ：Printed Wiring Board）の設計・製造は、ＣＡＤ（Computer Aided Design)などのコンピュータシステムを用いて行われている。特に近年の装置開発競争の激化などにより、設計リードタイムを短縮するため、ＣＡＤ機能向上とその利用環境整備が重要課題となってきている。
【０００３】
ＣＡＤを利用して、ＰＷＢのパターン設計を行う場合、配線作業がその大部分を占めており、この効率化が重要であるが、現状のパソコン基板に代表される高密度実装基板では、自動配線ソフトの性能が追いつかず、結果として対話形式の設計を効率化する方向で、設計者の意見を反映しつつ部分的に自動配線を行ったりすることにより、ＰＷＢのパターン設計を行っている。
【０００４】
上記のＰＷＢのパターン設計に使用するＣＡＤツールは、多種のものがあり、各社から各種のＣＡＤツールが販売されているが、開発思想の違いから種々の特徴を持つため、これらをうまく組み合わせて、トータルシステムを作り上げることが効果的である。
従って、近年は、従来のように１枚のＰＷＢのパターン設計を１つのＣＡＤで行うのではなく、ＰＣＢを各機能ブロックに分割し、各機能ブロックに適したＣＡＤを用いて設計を行い、編集合成をすることなどにより、設計効率向上を図ることが必要になってきており、各ＣＡＤ間のデータ変換が効率的に精度よく行われることが望まれている。
このため、各ＣＡＤ単位で、データの形式が異なることから、これらのニーズに対応するため、種々の変換ツールがある。
【０００５】
図８（ａ）は、ＣＡＤを用いて、基板上にランド２および導体パターン３を形成し、接続した状態におけるディスプレイ上での表示を示す。
ランド２は、実装部品のリードなどと接続する部分であり、当該ランド形状には、円形、方形のいずれも用いられ、方形のものには角を落とし多角形としたものなどもある。例えば、近接する不図示の導体パターンとの位置関係、接続する導体パターン３とランド２との位置関係などにより、ランド形状が選択される。
図８（ａ）に示すように、ランド２と導体パターン３を接続すると、通常テーパー４などを自動的に付与する編集機能を有するＣＡＤが多く存在する。これらは、作図時に逐次付与することも、作図後に一括して付与することも可能となっている。
【０００６】
上記のように、テーパー４などが形成されるのは、基板への高密度実装に伴う設計パターンの微細化に伴い、設計パターンの基板への忠実な転写が困難となる光近接効果（Optical Proximity Effect：ＯＰＥ）を考慮しているからである。
ＯＰＥとして具体的に観測される現象としては、基板へ設計パターンを転写する際に、設計パターンにおける直角パターンが基板転写後に丸くなってしまったり（コーナーラウンディング）、設計パターンにおける導体パターンが基板転写後に短くなってしまったり（ラインショーティング）することなどがある。
上記のＯＰＥは、リソグラフィ、現像プロセス、エッチングなどにより引き起こされる。従って、上記のＯＰＥを考慮して、ＣＡＤシステムには、設計データにあらかじめ自動的に一定の補正ルールにより、設計パターンに補正を加える編集機能が備えられているものが多い。
図８（ａ）においては、ランド２と配線パターン３の接続部における直角部分Ｌにおいて、エッチングが進んで導体パターンが細くなったりすることによる断線などの弊害を、例えば三角形状のテーパー４を設けることで防止することとしている。
【０００７】
上記の補正ルールは、各ＣＡＤによって異なることから、上記のテーパー４などの形状は、各ＣＡＤによって異なり、図８（ａ）に示すような三角形状であったり、例えば楕円形状であったりする。
また、このテーパー部分４のデータ保持の仕方についても、各ＣＡＤによって異なり、ランドなどの配線部品データと近似の配線部品データとして保持しているものもあれば、ランドまたは導体パターンの属性データ（テーパー属性）として保持しているものもある。
【０００８】
【発明が解決しようとする課題】
しかしながら、上記の図８（ａ）に示す設計データを特定のＣＡＤにより作成した後に、既存の変換ツールを用いて、異なるシステムを有するＣＡＤへデータ変換して再度パターン設計を行う場合に、図８（ｂ）に示すように、テーパー属性が解除され、テーパー部分４がデータ変換されずに消去してしまい、テーパー無しの状態で接続されたように変換される場合がある。
【０００９】
上記のテーパー属性を解除した変換方法は、各ＣＡＤごとに異なる複雑なテーパー属性を解析することなく設計データを高速に変換処理できるが、元の設計データを完全には変換できないという問題がある。
上記の問題は、設計データ変換後に、変換後のＣＡＤの編集機能を用いて一括してテーパーを付与することも可能だが、補正ルールが異なるため、一括して付与すると部品の配置にずれが起こる可能性があることから、通常一括して付与せずに、変換後の設計データ上に手動で一つ一つテーパー部分を作成する必要がある。
従って、たとえ各ＣＡＤツールの長所を生かしたトータルシステム設計を構築したとしても、異なるシステムを有するＣＡＤへ設計データを変換するごとに設計データを補う必要があり、パターン設計における設計効率の向上を図ることが困難である。
【００１０】
本発明は上記の問題点に鑑みてなされたものであり、従って、本発明はプリント配線基板のパターン設計を複数の異なるシステムを有するＣＡＤを用いて行う場合に、異なるシステムを有するＣＡＤ間において、変換前の元の設計データを完全にかつ効率的に変換でき、パターン設計における設計効率を向上させることが可能な設計データ変換装置、パターン設計支援装置、設計データ変換方法および配線基板のパターン設計方法を提供することを目的とする。
【００１１】
【課題を解決するための手段】
上記の目的を達成するため、本発明の設計データ変換装置は、配線パターンを示す第１データと、当該第１データの属性データとして、当該配線パターンに近い配線形状が得られるように、当該配線パターンを補正する補正パターンを示す第２データを含む設計データを変換する設計データ変換装置であって、前記設計データから前記第２データを抽出する抽出手段と、前記第２データを、前記属性データから前記第１データに近似のデータに変換するデータ変換手段と、前記データ変換した第２データを、前記設計データにおけるデータ変換前の第２データと置換する置換手段とを有する。
【００１２】
また、上記の目的を達成するため、本発明のパターン設計支援装置は、配線パターンを示す第１データと、当該第１データの属性データとして、当該配線パターンに近い配線形状が得られるように、当該配線パターンを補正する補正パターンを示す第２データを含む設計データを形成するパターン設計支援装置であって、前記設計データから前記第２データを抽出する抽出手段と、前記第２データを、前記属性データから前記第１データに近似のデータに変換するデータ変換手段と、前記データ変換した第２データを、前記設計データにおけるデータ変換前の第２データと置換する置換手段とを有する。
【００１３】
好適には、前記補正は、光近接効果補正であり、前記補正パターンの形状は、例えば、略三角形状である。
【００１４】
上記の本発明の設計データ変換装置およびパターン設計支援装置では、まず、抽出手段により、設計データから第２データを抽出する。
この第２データは、基板への高密度実装に伴う設計パターンの微細化に伴い、設計パターンの基板への忠実な転写が困難となる光近接効果を考慮して、パターン設計支援装置の編集機能により、一定の補正ルールで設計パターンに形成されるものである。
例えば、第１データであるランドおよび導体パターンの接続部における直角部分において、導体パターンが細くなることによる断線などの弊害を、例えば三角形状のテーパー（補正パターン）を設けることで防止している。
【００１５】
次に、データ変換手段により、第２データを、属性データから第１データに近似のデータに変換する。
第１データが、例えば、その配線パターンを稜線およびこれを形成する頂点の座標により、データ化しているものであれば、同様に、補正パターン部分を形成している稜線、および当該稜線を形成する頂点の座標などによりデータ化する。
上記の特定により、補正パターンの第２データを、当該形状の前記第１データに近似のデータに変換でき、例えば、第２データをランドデータ近似のデータとして変換できる。
次に、置換手段により、データ変換した第２データを、設計データにおけるデータ変換前の第２データと置換する。
その後、異なるパターン設計支援装置（ＣＡＤ）へ、配線基板の設計データを変換することにより、元の設計データを完全に変換でき、その後の配線基板の設計を効率良く行うことができる。
【００１６】
また、上記の目的を達成するため、本発明の設計データ変換方法は、配線パターンを示す第１データと、当該第１データの属性データとして、当該配線パターンに近い配線形状が得られるように、当該配線パターンを補正する補正パターンを示す第２データを含む設計データを変換する方法であって、前記設計データから前記第２データを抽出し、当該第２データを前記第１データに近似のデータに変換し、前記データ変換した第２データを、前記設計データにおけるデータ変換前の第２データと置換する。
【００１７】
また、上記の目的を達成するため、本発明の配線基板のパターン設計方法は、配線パターンを示す第１データと、当該第１データの属性データとして、当該配線パターンに近い配線形状が得られるように、当該配線パターンを補正する補正パターンを示す第２データを含む設計データを少なくとも２つのパターン設計支援システム間でデータ交換して最終的な配線基板のパターンを設計する方法であって、前記設計データ交換の際に、前記設計データから前記第２データを抽出し、当該第２データを前記第１データに近似のデータに変換し、前記データ変換した第２データを、前記設計データにおけるデータ変換前の第２データと置換する。
【００１８】
好適には、前記補正は、光近接効果補正であり、前記補正パターンの形状は、例えば、略三角形状である。
【００１９】
上記の本発明の設計データ変換方法および配線基板のパターン設計方法によれば、まず、設計データから第２データを抽出する。
次に、第２データを、属性データから第１データに近似のデータにデータ変換する。
第１データが、例えば、その配線パターンを稜線およびこれを形成する頂点の座標により、データ化しているものであれば、同様に、補正パターン部分を形成している稜線、および当該稜線を形成する頂点の座標などによりデータ化する。
これらの形状を特定することにより、第２データを第１データ近似のデータに変換できる。
次に、データ変換した第２データを、設計データにおけるデータ変換前の第２データと置換することにより、新たな設計データを生成する。
その後、異なるシステムを有するパターン設計支援装置（ＣＡＤ）へ、配線基板の設計データを変換することにより、元の設計データを完全に変換でき、その後の配線基板の設計を効率良く行うことができる。
【００２０】
【発明の実施の形態】
以下に、本発明の実施の形態について、図面を参照して説明する。
【００２１】
配線基板のパターン設計・開発工程に供される、本発明に係るパターン設計支援装置について説明する。
図１は、パターン設計支援装置１の構成を示すブロック図である。
パターン設計支援装置１は、処理部１０、表示部２０、入力部３０、マウス４０および記憶部５０などを有する。
【００２２】
処理部１０は、パターン設計支援装置１の各部を制御するとともに、外部との入力出力制御等を行うものである。
【００２３】
また、処理部１０は、インターフェイス部を介して外部のシステムと接続することもできる。これによりパターン設計支援装置１は外部のシステムと連係して、配線基板の設計・開発の各工程を順次実現することができるようになる。外部のシステムとしては、ホストコンピュータや回路設計用のＣＡＤ専用端末などである。
したがって、たとえば、回路設計はそのＣＡＤ専用端末などで行い、その結果を用いてホストコンピュータで所定の処理を行い、パターン設計支援装置１においてパターン設計処理を行いながら、パターン設計の検証をホストコンピュータで行うというような処理を、ネットワークを介して効率よく行うこともできるような構成になっている。
【００２４】
表示部２０は、回路図データ５１、設計データ５２などを表示可能で、さらに処理部１０からのメッセージなどを表示する。
【００２５】
入力部３０は、オペレータが処理部１０に対して、処理や処理対象のデータなどを指示するための、たとえばキーボードなどの入力装置である。
【００２６】
マウス４０は、表示部２０上に表示されるポインタと連動して用いられるポインティングデバイスであり、たとえば、表示部２０上に表示されている回路図データ５１、設計データ５２などのイメージデータにおいて、所望のオブジェクトを選択したり、オブジェクトに対して所定の処理を行ったりするのに用いられる。
【００２７】
記憶部５０は、処理対象の回路図データ５１や設計データ５２を記憶する記憶装置である。
上記までの構成は、従来のＣＡＤ装置と同様である。
【００２８】
図２（ａ）に上記のパターン設計支援装置１により、基板データにランド２および導体パターン３を形成し（第１データ）、補正データ（第２データ）として、処理部１０により、例えばテーパー（４ａ，４ｂ）が自動的に付与された設計データの表示部２０上での表示を示す。
ランド２は、基板上の各実装部品のリードなどと接続する部分であり、導体パターン３により当該ランド２に実装される各実装部品同士が電気的に接続されることとなる。
テーパー（４ａ，４ｂ）は、設計パターンの微細化に伴い、設計パターンに対する忠実な転写が困難となる光近接効果（Optical Proximity Effect：ＯＰＥ）により、直角パターンが丸くなる（コーナーラウンディング）、導体パターンが短くなる（ライショーティング）などの弊害があるため、設計パターンを補正するものである。
【００２９】
上記のＯＰＥは、リソグラフィ、現像プロセス、エッチングなどにより引き起こされるため、ＯＰＥを見込んで、処理部１０により、設計データに一定の補正ルールから、自動的に補正を加えることができることとしている。
なお、上記の補正ルールは各ＣＡＤによって異なり、従って、その形状も図２（ａ）に示すような三角形状のものや、例えば楕円形状のものもある。
図２（ａ）においては、ランド２と導体パターン３の接続部における直角部分Ｌにおいて、エッチングが進んで導体パターンが細くなったりすることによる断線などの弊害を、例えば三角形状のテーパー（４ａ，４ｂ）を設けることで防止することとしている。
【００３０】
上記の補正データの形成について説明する。なお、本実施形態では、補正データの一例としてテーパー部分を取り上げ、また、当該テーパー部分が略三角形状のものについて説明する。
図２および図３は、テーパー部分（４ａ，４ｂ）の形成機構を説明するための図である。
図２（ａ）では、矩形のランド２に対して導体パターン３がその中央部において接続している場合のテーパー部分（４ａ，４ｂ）の形状を示したものである。
この場合には、導体パターン３に対して上部のテーパー部分４ａと下部のテーパー部分４ｂの形状は実質的に等しいものとなっている。
図２（ｂ）では、矩形のランド２に対する導体パターン３の接続部を中央部から上方に移動した場合に形成されるテーパー部分（４ａ，４ｂ）の形状を示したものである。
この場合には、下部のテーパー部分４ｂの形状の方が、上部のテーパー部分４ａに比して大きく、テーパー部分（４ａ，４ｂ）の形状は異なっているが、テーパー部分（４ａ，４ｂ）はどちらも三角形状となっている。
【００３１】
図３（ａ）では、矩形のランド２に対する導体パターン３の接続部をさらに上方に移動した場合に形成されるテーパー部分４ｂの形状を示したものである。
この場合には、上部のテーパー部分４ａは形成されずに下部のテーパー部分４ｂのみが形成されている。これは、導体パターン３とランド２がその接続部分において、上部には、直角部分Ｌが存在しないため、補正する必要がないためと考えられる。
図３（ｂ）では、矩形のランド２に対する導体パターン３の接続部を下方に移動した場合に形成されるテーパー部分（４ａ、４ｂ）の形状を示したものである。
この場合には、上部のテーパー部分４ａの形状の方が、下部のテーパー部分４ｂに比して大きく、テーパー部分（４ａ，４ｂ）の形状は異なっているが、テーパー部分（４ａ，４ｂ）はどちらも三角形状となっている。
【００３２】
上記のように、種々のランド２と導体パターン３との接続状態におけるテーパー部分（４ａ，４ｂ）の形状を示したが、接続状態により１つまたは２つの形状が形成されることはあっても、上記のテーパー部分（４ａ，４ｂ）の形状はいずれにしても三角形状である。
これは、上記のテーパー部分（４ａ，４ｂ）のような補正データは、一般には、ランド２あるいは導電パターン３の形状要素に関連づけられて一定の補正ルールに従って、属性データとして形成されているからであると考えられる。本発明では、この部分に着目する。
【００３３】
次に、パターン設計支援装置１の処理部１０に、本発明に係る設計データ変換装置を組み込むことより実現される本発明に係るパターン設計支援装置、および当該装置により実施される設計データ変換方法および配線基板のパターン設計方法について図面を参照して詳細に説明する。
図４は、処理部１０に組み込まれた設計データ変換装置のブロック図を示したものである。
まず、図４に示すように、本発明において、処理部１０は、抽出部１１、変換部１２および置換部１３を有する。
【００３４】
抽出部１１では、記憶部５０に記憶された設計データ５２が入力され、当該設計データから補正データを抽出して、変換部１２へ出力する。また、元の設計データを置換部１３へ出力する。
変換部１２では、入力された補正データ（テーパー）から、補正データの示す形状を特定し、当該補正データの形状の情報に対応したランドデータ近似のデータを生成し、当該補正データを置換部へ出力する。
置換部１３では、入力された元の設計データにおける補正データと、ランドデータ化された補正データを置換し、新たな設計データを作成し、当該設計データを記憶部５０に出力する。
なお、実際には、処理部１０は、処理の制御を行うたとえばマイクロプロセッサなどの演算処理装置と、その演算処理装置における処理手続き（プログラム）などが記録されたＲＯＭ(Read Only Memory)と、処理時の種々の変数値などが記録されるＲＡＭ(Random Access Memory)、外部機器や外部ネットワークとのインターフェイス部などにより構成され、上記の抽出部１１、変換部１２および置換部１３における機能を達成する。
【００３５】
上記の処理部１０の変換部１２により、実施される本発明に係る設計データ変換方法を図５〜図７を用いて説明する。
図５は、データ変換部１２により行われる本発明に係る設計データ変換方法のフローチャートを示したものであり、図６は、データ変換の過程における表示部２０に示される設計データを示したものである。
図６（ａ）は、ＣＡＤにより形成した元の設計データを示す。
本発明では、テーパー部分（４ａ，４ｂ）を、ランド２と導体パターン３の補正データからランドデータ近似のデータへと変換する。
【００３６】
ランドデータは、コンピュータ内でデータとして数値データ化されている。
ここで、図７（ａ）を用いて、例えば表示部２０上に表示されたランド２をコンピュータに数値データとしてデータ化させている方法の一例について説明する。
【００３７】
まず、コンピュータ内にｘ、ｙ軸からなる座標軸を想定する。
次に、ランド２の幾何学的な位置を示すため、座標軸に対し、そのすべての頂点（ａ，ｂ，ｃ，ｄ）の座標を頂点リストとして与える。
次に、形状の特徴を示すため、どの点とどの点を結んで稜線（２１，２２，２３，２４）ができているかを稜線リストとして示す。
これにより、ランド２の形状を数値データとしてデータ化することができる。
【００３８】
上記の方法により、ランド２の形状をパターン設計支援装置（ＣＡＤ）において数値データ化している場合に、近似の方法でテーパー部をデータ化することができる。
図７（ｂ）を用いて、例えば表示部２０に表示されたテーパー（４ａ，４ｂ）のうち例えばテーパー４ａを、処理部１０により、記憶部５０にランドデータ近似のデータとしてデータを記憶させる方法の一例について説明する。
まず、抽出部１１により、設計データからテーパー４ａの部分のデータを抽出する。
【００３９】
次に、変換部１２により、以下の手順により、ランドデータ近似のデータとして、データ化する。
すなわち上記のように、コンピュータ内にｘ、ｙ軸からなる座標軸を想定し（手順Ｓ２）、テーパー４ａのすべての頂点（Ａ，Ｂ，Ｃ）の座標を頂点リストとして与える（手順Ｓ３）。次に、どの点とどの点を結んで稜線（４１，４２，４３）ができているかを稜線リストとして示す（手順Ｓ４）。
これにより、テーパー４ａの形状をランドデータに近似のデータとしてデータ化することができる（手順Ｓ６）。
なお、導体パターン３は、一定の幅をもつ、線としてデータ化してあると考えられるため、当該テーパー部（４ａ，４ｂ）は、種々の形状を扱うランドデータに近似のデータとするのが適している。
【００４０】
図６（ｂ）は、テーパー（４ａ，４ｂ）をランド２および導体パターン３から分離した状態を示している。
すなわち、上記のテーパー部分（４ａ，４ｂ）のような補正データは、一般には、ランド２の綾やあるいは導電パターン３の線などの形状要素に関連づけられている属性データであるため、ランド２あるいは導体パターン３から補正データのままでは分離することはできないが、上記のようにランドデータ近似のデータとしたため、分離することが可能となる。
【００４１】
図６（ｃ）は、異なるＣＡＤシステムにデータ変換後の表示部上に表示された設計データを示している。
図６（ｃ）に示すように、本発明により、変換後の設計データにもテーパー部分（４ａ，４ｂ）が存在しており、元のデータを完全に変換できることとなる。
なお、このデータ変換は、ネットワークを介して行なうことも、一旦記録媒体へ記録してから、フロッピーディスクを介して行うこともできる。
【００４２】
上記の本発明の実施形態によれば、元の設計データのＣＡＤ毎に異なる複雑なテーパー属性に関係なく、形成されたテーパー部分をランドデータ近似のデータに変換することにより、全てのＣＡＤに変換することが可能であり、かつ設計データの変換効率を妨げることもない。
また、テーパー部分が三角形状などの形状パラメータ数が少ない場合には、補正データの変換処理の高速化を図ることができる。
さらに、全てのＣＡＤに設計データを完全に変換できるため、新たに補正データを付加する必要がないことから、トータルシステムの採用による設計効率の向上を図ることができる。
【００４３】
本発明は、上記の説明に限定されない。例えば、テーパー部分のみでなく、その他の補正データとして形成されるものにも適用可能である。
また、三角形状に限らず、比較的単純な形状であれば、特定するのに要するパラメータの数が少ないことから、同様に、本発明により効率的に補正データをランドデータ近似のデータとすることができる。
その他、本発明の要旨を逸脱しない範囲で、種々の変更が可能である。
【００４４】
【発明の効果】
本発明によれば、第２データを第１データ近似のデータに変換することにより、設計データを全てのパターン設計支援装置（ＣＡＤ）に変換することが可能となる。
また、各ＣＡＤ毎に異なる複雑な補正ルールに関係なく、一旦補正パターンが形成された第２データを抽出して第１データ近似のデータとしてデータ化することにより、設計データの変換効率を向上することができる。
さらに、設計データ変換後にＣＡＤを用いて、設計データ上に手動で補正データ部分を作成する必要がないことから、各ＣＡＤの長所を生かしたトータルシステム設計を生かすことができ、レイアウト設計における設計効率を向上することができる。
【図面の簡単な説明】
【図１】図１は、本発明に係るパターン設計支援装置のブロック図を示したものである。
【図２】図２（ａ）では、矩形のランドに対して導体パターンがその中央部において接続している場合のテーパー部分の形状を示したものであり、（ｂ）では、矩形のランドに対して導体パターンがその中央部から上方に移動した場合に形成されるテーパー部分の形状を示したものである。
【図３】図３（ａ）では、矩形のランドに対して導体パターンがその上部において接続している場合のテーパー部分の形状を示したものであり、（ｂ）では、矩形のランドに対して導体パターンがその中央部から下方に移動した場合に形成されるテーパー部分の形状を示したものである。
【図４】図３は、本発明の設計データ変換装置を組み込んだパターン設計支援装置の処理部のブロック図である。
【図５】図５は、本発明の設計データ変換方法のフローチャートを示したものである。
【図６】図６は、本発明の設計データ変換方法による表示部に示された設計データを示したものであり、（ａ）は変換前の設計データ、（ｂ）は元データからのテーパー部分のデータ抽出まで、（ｃ）は変換後の設計データを示す。
【図７】図７は、表示部に表示された設計データをパターン設計支援装置にデータ化させる方法の一例について説明するための図であり、（ａ）はランドについて、（ｂ）はテーパー部分について、説明するものである。
【図８】図８は、従来例における設計データ変換前と変換後のデータを示したものであり、（ａ）は変換前の設計データ、（ｂ）は変換後の設計データを示す。
【符号の説明】
１…パターン設計支援装置、２…ランド、３…導体パターン、４，４ａ，４ｂ…テーパー、１０…処理部、１１…抽出部、１２…変換部、１３…置換部、２０…表示部、３０…入力部、４０…マウス、５０…記憶部、５１…回路図データ、５２…設計データ。
【図１】
0004411743.tif 000002
【図２】
0004411743.tif 000003
【図３】
0004411743.tif 000004
【図４】
0004411743.tif 000005
【図５】
0004411743.tif 000006
【図６】
0004411743.tif 000007
【図７】
0004411743.tif 000008
【図８】
0004411743.tif 000009